(57)【要約】試験紙を使用して捕捉および検出されるべき核酸を含む、サンプルを分析するためのデバイスが、説明される。本デバイスは、試験紙を含有する分析チャンバの中に配置される、弾性付勢部材を備える。弾性付勢部材は、試験紙が分析チャンバと連通すると、これをサンプルチャンバの中に押勢するために十分な力を試験紙に対して及ぼす。これは、試験紙が分析チャンバと連通すると、試験紙がサンプルチャンバの中に確実に導入されることを確実にする。一実施形態では、サンプルチャンバは、試験紙をサンプルチャンバの中に誘導するための誘導部材を備える。各誘導部材の遊離端は、試験紙が、例えば、カメラまたは光学リーダによる試験結果の自動読取のために、サンプルチャンバ内で正しく整合された状態になるように、試験紙の有意な回転を防止するように成形される。
2021507238.tif 000002
【特許請求の範囲】
【請求項１】
サンプルを分析するためのデバイスであって、前記デバイスは、
第１の開口部を有する、前記サンプルを受容するためのサンプルチャンバと、
前記サンプルを分析するための試験紙を含有する、分析チャンバであって、前記分析チャンバは、第２の開口部を有し、前記サンプルチャンバは、前記分析チャンバに対して移動可能であり、前記第１の開口部が前記第２の開口部と重複する関係で配置されると、前記サンプルチャンバと前記分析チャンバとの間の連通を可能にする、分析チャンバと、
前記分析チャンバの中に配置され、前記第１の開口部が前記第２の開口部と重複する関係で配置されると、前記試験紙を前記サンプルチャンバの中に押勢するために十分な力を前記試験紙に対して及ぼすように構成されている、弾性付勢部材と
を備える、デバイス。
【請求項２】
前記弾性付勢部材は、前記分析チャンバの壁と前記試験紙との間に配置されている、請求項１に記載のデバイス。
【請求項３】
前記分析チャンバの壁は、前記第２の開口部の反対の端壁である、請求項２に記載のデバイス。
【請求項４】
前記弾性付勢部材は、前記分析チャンバの断面形状に対応する断面形状を有する、前記請求項のいずれかに記載のデバイス。
【請求項５】
前記弾性付勢部材は、略長方形である断面形状を有する、前記請求項のいずれかに記載のデバイス。
【請求項６】
前記弾性付勢部材は、ばねである、前記請求項のいずれかに記載のデバイス。
【請求項７】
前記ばねの端部は、前記ばねの他のコイルより小さい直径を有し、前記試験紙の端部に接触し、前記ばねが十分な力で前記試験紙を押勢することが可能であることを確実にする、閉鎖コイルを備える、前記請求項のいずれかに記載のデバイス。
【請求項８】
前記分析チャンバの内壁は、前記試験紙と同軸方向に延在するリブを備え、これは、前記分析チャンバの壁と前記試験紙との間の接触面積を低減させる、前記請求項のいずれかに記載のデバイス。
【請求項９】
前記リブは、前記分析チャンバの長さの少なくとも３分の１にわたって延在する、請求項８に記載のデバイス。
【請求項１０】
前記サンプルチャンバは、前記試験紙を、前記サンプルチャンバの中に、誘導部材の間に誘導するための、第１および第２の誘導部材を備え、各誘導部材の遊離端は、前記試験紙が前記誘導部材の遊離端の間に配置されると、前記試験紙の、その移動方向を中心とした前記サンプルチャンバの中への有意な回転を防止するように成形されている、前記請求項のいずれかに記載のデバイス。
【請求項１１】
各誘導部材は、前記試験紙が前記誘導部材の遊離端の間に配置されると、前記試験紙の有意な回転を防止するように十分にフレア状である遊離端を備える、請求項１０に記載のデバイス。
【請求項１２】
サンプルを分析するためのデバイスであって、前記デバイスは、
第１の開口部を有する、前記サンプルを受容するためのサンプルチャンバと、
前記サンプルを分析するための試験紙を含有する、分析チャンバであって、第２の開口部を有する、分析チャンバと
を備え、
前記サンプルチャンバは、前記分析チャンバに対して移動可能であり、前記第１の開口部が前記第２の開口部と重複する関係で配置され、前記試験紙が前記サンプルチャンバに進入することを可能にすると、前記サンプルチャンバと前記分析チャンバとの間の連通を可能にし、前記サンプルチャンバは、前記試験紙を、前記サンプルチャンバの中に、前記誘導部材の間に誘導するための、第１および第２の誘導部材を備え、各誘導部材の遊離端は、前記試験紙が前記誘導部材の遊離端の間に配置されると、前記試験紙の、その移動方向を中心とした前記サンプルチャンバの中への有意な回転を防止するように成形されている、デバイス。
【請求項１３】
各誘導部材は、前記誘導部材の遊離端の間に配置された前記試験紙の有意な回転を防止するように十分にフレア状である、遊離端を備える、請求項１２に記載のデバイス。
【請求項１４】
各誘導部材の前記フレア状の遊離端は、前記試験紙の幅の半分を上回る、好ましくは、その３分の２を上回る、幅を有する、請求項１３に記載のデバイス。
【請求項１５】
２つの誘導部材のみが存在する、請求項１２から１４のいずれかに記載のデバイス。
【請求項１６】
前記誘導部材は、パドル形状である、請求項１２から１５のいずれかに記載のデバイス。
【請求項１７】
前記誘導部材は、前記試験紙が前記誘導部材の間に配置されると、前記試験紙の５０°を上回る回転を防止する、請求項１２から１６のいずれかに記載のデバイス。
【請求項１８】
サンプルを分析するためのデバイスであって、前記デバイスは、
第１の開口部を有する、前記サンプルを受容するためのサンプルチャンバと、
前記サンプルを分析するための試験紙を含有する、分析チャンバであって、第２の開口部を有する、分析チャンバと
を備え、
前記サンプルチャンバは、前記分析チャンバに対して移動可能であり、前記第１の開口部が前記第２の開口部と重複する関係で配置され、前記試験紙が前記サンプルチャンバに進入することを可能にすると、前記サンプルチャンバと前記分析チャンバとの間の連通を可能にし、前記分析チャンバの内壁は、前記試験紙と同軸方向に延在するリブを備え、これは、前記分析チャンバの壁と前記試験紙との間の接触面積を低減させる、デバイス。
【請求項１９】
前記リブは、前記分析チャンバの長さの少なくとも３分の１にわたって延在する、請求項１８に記載のデバイス。
【発明の詳細な説明】
【技術分野】
【０００１】
本発明は、サンプル、より具体的には、試験紙を使用して捕捉および検出されるべき核酸を含む、サンプルを分析するためのデバイスに関する。
【背景技術】
【０００２】
第ＷＯ  ２００８／０１２５５０号および第ＷＯ  ２０１４／１４０６４０号は、生物学的サンプルを処理するためのデバイス、システム、および方法を説明する。そのような方法によると、生物学的サンプルから抽出された核酸は、（逆転写ポリメラーゼ連鎖反応法（ＲＴ−ＰＣＲ）等の手技、または転写ベースの増幅システム（ＴＡＳ）等の等温増幅手技を使用して）特異的に増幅される。増幅された核酸は、試験紙を使用して捕捉および検出され、これは、視覚的に読取可能な結果を提供する。増幅された核酸の増幅、捕捉、および検出は、増幅デバイス内で生じる。
【０００３】
第ＷＯ  ２００８／０１２５５０号に開示される増幅デバイスは、ユーザによって手動で動作され得、サンプルと、１つ以上の試薬とを受容するための入力ポートを有する、現場装置と、第１の開口部を有する、サンプルを受容するための、（第ＷＯ  ２００８／０１２５５０号において処理チャンバと称される）サンプルチャンバと、処理後にサンプルを分析するための試験紙を含有する、分析チャンバであって、第２の開口部を有する、分析チャンバと、分析チャンバおよび入力ポートに対して移動可能であり、第１の開口部が、入力ポートと重複する関係で配置されると、サンプルチャンバと入力ポートとの間の連通を可能にし、第１の開口部が、第２の開口部と重複する関係で配置されると、サンプルチャンバと分析チャンバとの間の連通を可能にする、サンプルチャンバと、サンプルの処理の間にサンプルチャンバおよび分析チャンバをシールするための、シール装置とを含み得る。
【０００４】
代替として、増幅デバイスは、第ＷＯ  ２０１４／１４０６４０号に説明されるシステムによって、自動的に動作されるように構成され得る。第ＷＯ  ２０１４／１４０６４０号は、ピペットと、輸送装置と、空気ピストン装置と、ピペットを輸送装置に、かつ空気ピストン装置に結合させるための、アダプタとを備え、その中で、アダプタは、サンプルの処理の間の輸送装置を用いた移動のために、輸送装置および空気ピストン装置と除去可能に係合可能であり、輸送装置が、ピペットを位置付けるために制御可能であるように、かつ空気ピストン装置が、液体をピペットの中に引き込み、液体をピペットから排出するために制御可能であるように、ピペットに結合可能であり、その中で、アダプタは、ピペットと空気ピストン装置との間の液体またはエアロゾルの輸送を防止するための、フィルタを備える、自動化された生物学的サンプル処理システムを説明する。増幅デバイスは、第ＷＯ  ２００８／０１２５５０号に説明される、手動で動作される増幅デバイスに類似する構成を有してもよいが、第ＷＯ  ２０１４／１４０６４０号に説明されるアダプタと係合するように構成されてもよい。
【０００５】
第ＷＯ  ２００８／０１２５５０号および第ＷＯ  ２０１４／１４０６４０号に説明される増幅デバイスに関して、重力が、試験紙をサンプルチャンバの中に導入するように作用する。サンプルチャンバ内の処理されたサンプル（増幅された核酸を含有する溶液）が、毛細管作用によって試験紙の上方に進行し、そこで、これは、試験紙の捕捉区域において捕捉および検出される。試験結果は、試験紙を視覚的に検査することによって読み取られ得る。第ＷＯ  ２０１４／１４０６４０号に説明されるシステムでは、結果は、線走査カメラ等のカメラを使用して自動的に読み取られ、好適な画像処理アルゴリズムを使用して、試験紙上に特定の線が存在するかどうかを判定し得る。
【０００６】
サンプルチャンバおよび分析チャンバが、相互と連通するときに、試験紙が、確実かつ正確にサンプルチャンバの中に導入されることが、重要である。これは、サンプル溶液の全ての毛細管輸送を確実にし、試験紙が、（視覚的または自動的にのいずれかで）検査され、試験結果を読み取り得ることを確実にするために必要であり、そうでなければ、試験は、無効にされ得る。試験結果が、カメラによって読み取られるべきである場合、試験紙は、カメラと正確に整合されなければならない。
【０００７】
したがって、サンプルチャンバおよび分析チャンバが、相互と連通するときに、試験紙が、確実にサンプルチャンバの中に導入される、デバイスを提供する必要性が存在する。また、サンプルチャンバおよび分析チャンバが、相互と連通し、試験結果が、例えば、カメラまたは光学リーダによって自動的に読み取られることを可能にするときに、試験紙が、正しく整合された状態で、確実にサンプルチャンバの中に導入される、デバイスを提供する必要性も存在する。
【先行技術文献】
【特許文献】
【０００８】
【特許文献１】国際公開第２００８／０１２５５０号
【特許文献２】国際公開第２０１４／１４０６４０号
【発明の概要】
【発明が解決しようとする課題】
【０００９】
本発明は、ここで参照されるべき添付の独立請求項による、サンプルを分析するためのデバイスを提供する。本発明の随意の特徴が、従属請求項において定義される。
【課題を解決するための手段】
【００１０】
本発明によると、サンプルを分析するためのデバイスであって、第１の開口部を有する、サンプルを受容するためのサンプルチャンバと、サンプルを分析するための試験紙を含有する、分析チャンバであって、分析チャンバは、第２の開口部を有し、サンプルチャンバは、分析チャンバに対して移動可能であり、第１の開口部が第２の開口部と重複する関係で配置されると、サンプルチャンバと分析チャンバとの間の連通を可能にする、分析チャンバと、分析チャンバの中に配置され、第１の開口部が第２の開口部と重複する関係で配置されると、試験紙をサンプルチャンバの中に押勢するために十分な力を試験紙に対して及ぼすように構成される、弾性付勢部材とを備える、デバイスが、提供される。
【００１１】
弾性付勢部材は、サンプルチャンバが、分析チャンバと連通するように移動されると、試験紙が、サンプルチャンバに進入することを確実にし、それによって、試験の無効化のいかなるリスクも最小限にする。
【００１２】
随意に、サンプルチャンバは、第１の開口部が第２の開口部と重複する関係で配置されると、分析チャンバに対して回転可能であり、サンプルチャンバと分析チャンバとの間の連通を可能にする。
【００１３】
随意に、弾性付勢部材は、分析チャンバの壁と試験紙との間に配置される。随意に、分析チャンバの壁は、第２の開口部の反対の端壁である。
【００１４】
随意に、弾性付勢部材は、試験紙がサンプルチャンバに進入しているとき、試験紙を定位置に維持し、試験紙がサンプルチャンバから外に出ないように防止するために十分に拡張する。
【００１５】
随意に、弾性付勢部材は、試験紙の端部に接触する。随意に、弾性付勢部材は、試験紙が、サンプルチャンバに進入しているとき、試験紙の端部との接触を留保するように十分に拡張し、それによって、試験紙を定位置に維持し、試験紙がサンプルチャンバから外に出ないように防止する。
【００１６】
随意に、弾性付勢部材は、試験紙が、サンプルチャンバに進入しているとき、その圧縮された長さの少なくとも２倍、３倍、または４倍の長さまで拡張する。
【００１７】
試験紙が、完全に分析チャンバ内に位置する、またはこれが、サンプルチャンバの中に押勢されるかのいずれかのときに、弾性付勢部材によって及ぼされる力は、試験紙の変形を引き起こすほど過度に強くあるべきではないことを理解されたい。
【００１８】
随意に、弾性付勢部材は、分析チャンバの内部の断面形状に対応する、断面形状を有する。
【００１９】
随意に、弾性付勢部材は、試験紙をサンプルチャンバの中に押勢するとき以外は、分析チャンバ内にぴったりと嵌合し、分析チャンバ内での弾性付勢部材の移動を最小限にする。例えば、嵌合は、弾性付勢部材の側方移動が、弾性付勢部材の幅の４分の１まで、または５分の１までに制限されるようなものであってもよい。
【００２０】
随意に、分析器チャンバは、略長方形の内部断面を有し、弾性付勢部材は、略長方形である、断面形状を有する。
【００２１】
随意に、弾性付勢部材は、金属、例えば、鋼、特に、ステンレス鋼から作製される。
【００２２】
随意に、弾性付勢部材は、ばねである。随意に、弾性付勢部材は、圧縮ばねである。随意に、ばねは、螺旋ばね、例えば、螺旋圧縮ばねである。随意に、ばねは、閉鎖ばね、例えば、閉鎖螺旋圧縮ばねである。一実施例では、ばねは、略長方形の断面の閉鎖螺旋圧縮ばねである。
【００２３】
随意に、試験紙の端部に接触する、ばねの端部は、ばねの他のコイルより小さい直径を有し、ばねの試験紙の端部との信頼性のある接触を確実にする、閉鎖コイルを備える。
【００２４】
随意に、ばねは、１〜１０ｍｍの幅を有する。随意に、ばねは、断面が、約２ｍｍ×５ｍｍである。随意に、ばねは、０．０５〜２ｍｍのワイヤ直径を有する。随意に、ばねは、１〜１０ｍｍの圧縮された長さを有する。随意に、ばねは、５〜２０ｍｍの拡張された長さを有する。例えば、ばねは、約３ｍｍの圧縮された長さと、約１０ｍｍの拡張された長さとを有し得る。
【００２５】
随意に、ばねは、試験紙が、サンプルチャンバに進入しているときに、その圧縮された長さの少なくとも２つの倍、３倍、または４倍の長さまで拡張する。
【００２６】
随意に、分析チャンバの内壁は、試験紙と同軸方向に延在する、リブを備え、これは、分析チャンバの壁と試験紙との間の接触面積を低減させる。低減された接触面積は、試験紙と分析チャンバの壁との間の摩擦を低減させ、試験紙が、第１の開口部が第２の開口部と重複する関係で配置されると、確実にサンプルチャンバの中に押勢されることを確実にするために役立つ。
【００２７】
本発明によると、サンプルを分析するためのデバイスであって、第１の開口部を有する、サンプルを受容するためのサンプルチャンバと、サンプルを分析するための試験紙を含有する、分析チャンバとを備え、分析チャンバは、第２の開口部を有し、サンプルチャンバは、分析チャンバに対して移動可能であり、第１の開口部が第２の開口部と重複する関係で配置され、試験紙がサンプルチャンバに進入することを可能にすると、サンプルチャンバと分析チャンバとの間の連通を可能にし、分析チャンバの内壁は、試験紙と同軸方向に延在するリブを備え、これは、分析チャンバの壁と試験紙との間の接触面積を低減させる、デバイスもまた、提供される。
【００２８】
随意に、リブは、分析チャンバの長さの少なくとも３分の１、または少なくともその半分にわたって延在する。
【００２９】
随意に、リブは、分析チャンバの閉鎖された端部から、分析チャンバに沿った経路の少なくとも３分の１、または少なくともその半分まで延在する。
【００３０】
随意に、サンプルチャンバは、試験紙を、サンプルチャンバの中に、誘導部材の間に誘導するための、第１および第２の誘導部材を備え、各誘導部材の遊離端は、試験紙が誘導部材の遊離端の間に配置されると、試験紙の、その移動方向を中心としたサンプルチャンバの中への有意な回転を防止するように成形される。
【００３１】
本発明によると、サンプルを分析するためのデバイスであって、第１の開口部を有する、サンプルを受容するためのサンプルチャンバと、サンプルを分析するための試験紙を含有する、分析チャンバとを備え、分析チャンバは、第２の開口部を有し、サンプルチャンバは、分析チャンバに対して移動可能であり、第１の開口部が第２の開口部と重複する関係で配置され、試験紙がサンプルチャンバに進入することを可能にすると、サンプルチャンバと分析チャンバとの間の連通を可能にし、試験紙を、サンプルチャンバの中に、誘導部材の間に誘導するための、第１および第２の誘導部材を備え、各誘導部材の遊離端は、試験紙が誘導部材の遊離端の間に配置されると、試験紙の、その移動方向を中心としたサンプルチャンバの中への有意な回転を防止するように成形される、デバイスがさらに、提供される。
【００３２】
随意に、各誘導部材は、誘導部材の遊離端の間に配置される、試験紙の有意な回転を防止するように十分にフレア状である遊離端を備える。
【００３３】
随意に、各誘導部材のフレア状の遊離端は、試験紙の幅の半分を上回る、好ましくは、その３分の２を上回る、幅を有する。
【００３４】
誘導部材は、試験紙上の結果の読取のための、サンプルチャンバ内での試験紙の正しい整合を確実にする。
【００３５】
随意に、誘導部材の遊離端は、相互に対向して配置され、試験紙がそれらの間を通過してサンプルチャンバの中に入ることを可能にするために十分に大きいが、それらの間に配置されているとき、試験紙の有意な回転を防止するために十分に小さい距離だけ、相互から離間される。
【００３６】
用語「有意な回転を防止する」は、本明細書では、試験紙が、試験紙上の結果が、線走査カメラ等のカメラによって、または光学リーダによって読み取られないように防止するために十分に回転し得ないことを意味するために使用される。随意に、試験紙は、誘導部材の間に配置されると、７０°を上回って回転することはできない。随意に、試験紙は、誘導部材の間に配置されると、６０°を上回って回転することはできない。随意に、試験紙は、誘導部材の間に配置されると、５０°を上回って回転することはできない。随意に、試験紙は、誘導部材の間に配置されると、４０°を上回って回転することはできない。随意に、試験紙は、誘導部材の間に配置されると、３０°を上回って回転することはできない。随意に、試験紙は、誘導部材の間に配置されると、２０°を上回って回転することはできない。随意に、試験紙は、誘導部材の間に配置されると、１０°を上回って回転することはできない。
【００３７】
試験紙の有意な回転を防止するために、誘導部材の遊離端がフレア状である必要がある範囲は、試験紙の幅と、誘導部材の遊離端間の間隔と、試験紙上の結果が、線走査カメラ等のカメラによって、または光学リーダによって読み取られないように防止することなく許容され得る、試験紙の回転の程度とに依存するであろうことを理解されたい。
【００３８】
随意に、各誘導部材は、サンプルチャンバの側壁からサンプルチャンバの閉鎖された端部に向かって内向きに延在する、突出部を備える。
【００３９】
サンプルチャンバは、リングの側壁からサンプルチャンバの閉鎖された端部に向かって内向きに延在する、第１および第２の誘導部材を伴う、上側リングを備える、挿入体を備えてもよい。
【００４０】
随意に、各誘導部材は、パドル形状である。
【００４１】
随意に、本デバイスは、２つの誘導部材のみを備える。
【００４２】
随意に、試験紙は、クロマトグラフィー試験紙である。用語「クロマトグラフィー試験紙」は、本明細書では、毛細管現象によって溶液を搬送することが可能である材料の任意の多孔性試験紙を意味するために使用される。クロマトグラフィー試験紙は、吸水性または非吸水性の側方流動が可能であり得るが、好ましくは、吸水性の側方流動が可能であり得る。用語「非吸水性の側方流動」は、その中で液体の分解または分散された成分の全てが、実質的に等しい率で、かつ「吸水性の側方流動」で生じるであろうような１つ以上の成分の優先的な留保とは対照的に、膜を側方に通した比較的に減損されていない流動を用いて搬送される、液体流動を意味する。吸水性の側方流動が可能である、材料は、紙、ニトロセルロース、およびナイロンを含む。好ましい実施例は、ニトロセルロースである。
【００４３】
随意に、試験紙は、長方形の試験紙である。随意に、試験紙は、その幅より少なくとも２、３、４、または５倍長い。例えば、試験紙は、約５ｍｍ×５５ｍｍであってもよい。
【００４４】
随意に、本発明のデバイスは、第ＷＯ  ２００８／０１２５５０号または第ＷＯ  ２０１４／１４０６４０号に説明される、増幅デバイスの付加的特徴のいずれかを備えてもよい。
【００４５】
随意に、本発明のデバイスは、
サンプルと、１つ以上の試薬とを受容するための入力ポートを有する、現場装置と、
第１の開口部を有する、サンプルを受容するためのサンプルチャンバと、
サンプルを分析するための試験紙を含有する、分析チャンバであって、分析チャンバは、第２の開口部を有し、前記サンプルチャンバは、分析チャンバおよび入力ポートに対して移動可能であり、第１の開口部が入力ポートと重複する関係で配置されると、サンプルチャンバと入力ポートとの間の連通を可能にし、第１の開口部が第２の開口部と重複する関係で配置されると、サンプルチャンバと分析チャンバとの間の連通を可能にする、分析チャンバと
を備えてもよい。
【００４６】
随意に、本発明のデバイスはさらに、サンプルチャンバと分析チャンバとの間の連通全体を通して、サンプルチャンバおよび分析チャンバをシールするための、シール装置を備えてもよい。
【００４７】
随意に、本発明のデバイスはさらに、処理試薬を含有するために好適な、１つ以上の試薬チャンバを含んでもよい。使用時、サンプルチャンバは、試薬チャンバと連通するように、次いで、分析チャンバと連通するように順次移動され、試薬とサンプルを混合し、その後、処理プロトコルまたは方法を実装する。随意に、本デバイスはまた、サンプルの処理全体を通して、サンプルチャンバおよび試薬チャンバまたは複数のチャンバをシールするための、シール装置を含む。
【００４８】
随意に、本発明のデバイスはさらに、サンプルの処理に先立って入力ポートをシールするための、シールキャップを備えてもよい。
【００４９】
随意に、本発明のデバイスは、第ＷＯ  ２０１４／１４０６４０号に説明されるシステムによって自動的に動作されるように構成されてもよい。特に、本デバイスは、第ＷＯ  ２０１４／１４０６４０号に説明されるアダプタと係合するように構成されてもよい。例えば、本デバイスは、サンプルの処理に先立って入力ポートをシールするためのシールキャップであって、アダプタと係合するように構成される、シールキャップを備えてもよい。
【００５０】
本発明の実施形態は、ここで、付随の図面を参照して、実施例としてのみ説明される。
【図面の簡単な説明】
【００５１】
【図１】図１ａは、試験紙が、完全に本デバイスの分析チャンバ内に位置する構成における、本発明のある実施形態による、デバイスの側面図を示し、図１ｂは、試験紙が、サンプルチャンバの中に押勢されている構成における、図１ａに示されるデバイスの側面図を示す。
【図２】図２は、図１ａに示されるデバイスの斜視図を示す。
【図３】図３は、図１に示されるデバイスの分析チャンバの上面図を示す。
【発明を実施するための形態】
【００５２】
図１−３に示されるデバイスは、第ＷＯ  ２０１４／１４０６４０号の３８ページの２４行目から３９ページの８行目において、図１１を参照して説明されるものと同一のタイプのデバイスである。本デバイスは、サンプル処理プロトコルの一部として、第ＷＯ  ２０１４／１４０６４０号の図１および２を参照して説明されるタイプの自動化されたシステムとの併用に好適である。本明細書に説明される実施形態のデバイスは、分析チャンバ内への螺旋圧縮ばね、およびサンプルチャンバ（サンプルチャンバは、第ＷＯ  ２０１４／１４０６４０号に説明されるデバイスにおいて処理チャンバと称される）内への第１および第２の誘導部材の組み込みによって、第ＷＯ２０１４／１４０６４０号の図１１を参照して説明されるデバイスと異なる。本明細書の図１−３は、サンプルの処理に先立って入力ポートをシールするためのシールキャップであって、アダプタと係合するように構成される、シールキャップを除去するように単純化されている。本明細書の図１−３に示されるデバイスは、下記により詳細に説明される。
【００５３】
デバイス１０は、両方とも、成型可能なプラスチック材料から形成される、上側部分１２と、下側部分１４とを備える。上側および下側部分は両方とも、円形であり、相互と回転可能に係合可能である。サンプルチャンバ１６は、下側部分の中に形成される。入力ポート１８および分析チャンバ２０は、上側部分の中に形成される。サンプルチャンバ１６は、それを通してサンプルおよび試薬（ならびに試験紙）が、サンプルチャンバに進入し得る、上向きに面する開口部を有する。
【００５４】
分析チャンバ２０は、略長方形の内部断面の、細長いチャンバであり、試験紙２２を含有する。分析チャンバは、透明であり、試験紙が、視覚的に検査される、または光学リーダによって読み取られることを可能にする。分析チャンバは、それを通して試験紙が、通過し得る、下向きに面する開口部を有する。（図に図式的に示される）螺旋圧縮ばね２４が、分析チャンバの中に、分析チャンバの閉鎖された上端２６と試験紙の上端２８との間に配置される。図２および３に見られるように、螺旋圧縮ばねは、断面が略長方形であり（すなわち、螺旋ばねのコイルが、略長方形の経路を辿る）、分析チャンバの閉鎖された上端内にぴったりと嵌合する。ばねの下端における閉鎖コイル２９が、ばねの他のコイルより小さい直径を有し、試験紙の上部に沿ったほぼ中間において、試験紙の上端に接触する。これは、信頼性のある接触が、ばねの下端と試験紙の上端との間で行われることを確実にする。
【００５５】
図１ａは、下側部分１４によって分析チャンバの中に保持される、試験紙を示す。本初期位置において、螺旋圧縮ばね２４は、分析チャンバ２０の閉鎖された端部２６と試験紙２２の上端２８との間で圧縮される。図２および３（螺旋ばねが、その圧縮された位置にある）に見られるように、分析チャンバの内部側壁３０は、試験紙と同軸方向に延在する、リブ３２を備える。リブは、分析チャンバの閉鎖された上端から、分析チャンバの下方のほぼ中間まで延在する。リブ３２は、分析チャンバの側壁と試験紙の接触面積を低減させる。
【００５６】
サンプルチャンバは、上側リング３６と、第１（３８）および第２（４０）の、可撓性であるが、弾性の誘導部材とを備える、挿入体３４を備える。各誘導部材３８、４０は、上側リング３６の側壁からサンプルチャンバの閉鎖された下端４２に向かって内向きに延在する、突出部を備える。各突出部の遊離端は、各誘導部材が、パドル形状であるように、フレア状である。誘導部材のフレア状の遊離端は、相互に対向して配置され、試験紙の下端４４が、それらの間を通過することを可能にするように十分遠くに離間されているが、誘導部材の遊離端の間に配置されると、サンプルチャンバ内での試験紙の有意な回転を防止するように、ともに十分に近接している。
【００５７】
いったんサンプルが、処理され、特異的な増幅された核酸の存在に関してサンプルを試験することが所望されると、上側部分は、下側部分に対して、サンプルチャンバの開口部が、分析チャンバの開口部と重複する関係にある位置まで回転される。試験紙は、試験紙の下端が、サンプルチャンバ内の処理されたサンプルと接触するように、螺旋ばねによってサンプルチャンバの中に押勢される。図１ｂに示される本位置では、螺旋ばねは、拡張されている。螺旋ばねの下端は、試験紙の上端と接触したままであり、試験紙をサンプルチャンバ内の定位置に保定する。螺旋ばねによって試験紙に対して及ぼされる力は、サンプルチャンバの開口部が、分析チャンバの開口部と重複する関係にあるとき、試験紙をサンプルチャンバの中に押勢するために十分であるが、螺旋ばねによって及ぼされる力による試験紙の、その圧縮または拡張された、いずれかの位置における変形を引き起こすほど強くはない。リブ３２は、試験紙と分析チャンバの側壁の接触面積を低減させ、それによって、試験紙のサンプルチャンバの中への移動に対して作用する摩擦力を低減させる。
【００５８】
試験紙が、螺旋ばねの作用によってサンプルチャンバの中に押勢されるにつれて、試験紙の下端は、サンプルチャンバ内のパドル形状の誘導部材の間を通過する。誘導部材は、試験紙をサンプルチャンバ内の定位置に誘導し、誘導部材のフレア状の端部は、試験紙が、いったん定位置に置かれた状態になると、これが、試験紙上の結果を読み取ることが可能である、光学リーダ（図示せず）と正しく整合された状態にあるように、有意に回転しないことを確実にする。ばねによって及ぼされる力は、試験紙の下端４４が、サンプルチャンバ内のサンプルの全てが、毛細管作用によって試験紙の上方に毛細管輸送されるように、サンプルチャンバの底部に接触することを確実にする。試験紙は、特定の核酸の存在に敏感であり、これが、その核酸を含有するサンプルに接触した場合、試験紙上に線等の可視インジケーションを提供する。
【図１ａ】
2021507238.tif 000003
【図１ｂ】
2021507238.tif 000004
【図２】
2021507238.tif 000005
【図３】
2021507238.tif 000006
【国際調査報告】
2021507238.tif 000007
2021507238.tif 000008
2021507238.tif 000009
2021507238.tif 000010
2021507238.tif 000011